Podtech/llm-jp-corpus-v4-ja_patent huggingface dataset:
(57)【要約】【課題】  ポリタンクからの給水・給油を容易にする給水・給油装置を提供する。【解決手段】  本考案の給水・給油装置は、ポリタンク１の一方の蓋２に空気注入口３を設け、もう一方の蓋４に該ポリタンク１の内底から該蓋４の上に出る長さのパイプ５を貫通して備えその先に給水・給油口６を設け、該空気注入口３から空気を送り込むことによって該ポリタンク１内の圧力を高め、その圧力によって該ポリタンク１内の水または油が該パイプ５を通って該給水・給油口６から排出されることを特徴とした。【選択図】図１
0003148650.tif 000002
【実用新案登録請求の範囲】
【請求項１】
ポリタンクからの給水・給油を容易にする給水・給油装置において、ポリタンクの一方の蓋に空気注入口を設け、もう一方の蓋に該ポリタンクの内底から該蓋の上に出る長さのパイプを貫通して備えその先に給水・給油口を設け、該空気注入口から空気を送り込むことによって該ポリタンク内の圧力を高め、その圧力によって該ポリタンク内の水または油が該パイプを通って該給水・給油口から排出されることを特徴とする給水・給油装置。
【考案の詳細な説明】
【技術分野】
【０００１】  本考案は、ポリタンクからの給水・給油装置に関する。
【背景技術】
【０００２】  従来より、この種の給水・給油装置としては、吸引式の手動ポンプあるいは乾電池を使った電動ポンプが一般的であり、広く市販されている。
【考案の開示】
【考案が解決しようとする課題】
【０００３】  しかしながら、上述の装置では、吸引部や逆止弁に破損が生じたり、乾電池が消耗するなど、給水・給油に支障をきたす問題点を有していた。【０００４】本考案は、上記従来有する問題点に鑑み、より単純な構造で、乾電池を使用することもなく、ポリタンクからの給水・給油を容易にする給水・給油装置を提供しようとするものである。
【課題を解決するための手段】
【０００５】  本考案の給水・給油装置は、ポリタンク１の一方の蓋２に空気注入口３を設け、もう一方の蓋４に該ポリタンク１の内底から該蓋４の上に出る長さのパイプ５を貫通して備えその先に給水・給油口６を設け、該空気注入口３から空気を送り込むことによって該ポリタンク１内の圧力を高め、その圧力によって該ポリタンク１内の水または油が該パイプ５を通って該給水・給油口６から排出されることを特徴とした。
【考案の効果】
【０００６】  本考案によれば、空気注入口から息を吹き込むだけでもポリタンク内の圧力が上昇することから、誰でも容易にポリタンク内の水または油を給水・給油することが可能である。
【考案を実施するための最良の形態】
【０００７】  以下、本考案の実施の形態について、図面を参照して説明する。
図１に示すように、本考案の給水・給油装置は、ポリタンク１の一方の蓋２に空気注入口３を設け、もう一方の蓋４に該ポリタンク１の内底から該蓋４の上に出る長さのパイプ５を貫通して備えその先に給水・給油口６を設け、該空気注入口３から空気を送り込むことによって該ポリタンク１内の圧力を高め、その圧力によって該ポリタンク１内の水または油が該パイプ５を通って該給水・給油口６から排出されることを特徴とした。
【図面の簡単な説明】
【０００８】
【図１】  ポリタンクの一方の蓋に空気注入口を設け、もう一方の蓋にポリタンクの内底から蓋の上に出る長さのパイプを貫通して取り付けた断面図である。
【符号の説明】
【０００９】    １    ポリタンク
２    蓋
３    空気注入口
４    蓋
５    パイプ
６    給水・給油口
【図１】
0003148650.tif 000003
(57)【要約】      （修正有）【課題】格納式サイドミラーのミラー面と窓ガラスに霜、氷、雪等が付着するのを防止する格納式サイドミラー用カバーを提供する。【解決手段】格納式サイドミラーが使用位置Ａとミラー面２と窓ガラス３に沿うように折りたたんだ格納位置との間で回転軸５を中心に回転可能なサイドミラー周辺構造に於いて、格納式サイドミラーハウジング１の周囲に金属、ゴム、樹脂等のサイドミラーカバー４を窓ガラス３との間に間隔を設けて設置する。【選択図】図１
0003148649.tif 000002
【実用新案登録請求の範囲】
【請求項１】
サイドミラーの周囲にサイドミラーカバー４を設けて、窓ガラス３との間に間隔６を設けることを特徴としたサイドミラー。
【考案の詳細な説明】
【技術分野】
【０００１】  本考案は、格納式サイドミラー周辺構造に関するものである。
【背景技術】
【０００２】  自動車等に使用するサイドミラーは格納式が多いが、停車中に格納していてもミラー面と窓ガラスに隙間が生じ、雪等が入り込み氷結してしまう。【０００３】  また、特許公開２００３−３４１４２９には、ミラー面の周辺に沿って設けられ、且つ格納位置で窓ガラスに密接して、ミラー面を外気に対して遮断するシール部を有するサイドミラー周辺構造が提案されている。
【特許文献１】特許公開２００３−３４１４２９
【考案の開示】
【考案が解決しようとする課題】
【０００４】  しかしながら、上記特許公開２００３−３４１４２９では、格納時にミラー面とシール部で遮断された窓ガラスは霜、氷結物、水滴、埃等の付着を防止するものの、寒冷期においてはシール部と窓ガラス部が凍結し氷着してしまい使用位置に復元できない。
本考案は、上記のような課題に鑑み、その課題を解決すべく考案されたものであって、その目的とするところは、格納式サイドミラーのミラー面と窓ガラスに霜、着雪等が付着するのを防いで、寒冷期においてもサイドミラーカバーと窓ガラスが凍結し氷着することなく容易に使用位置に復元できるサイドミラー周辺構造を提供する。
【課題を解決するための手段】
【０００５】  本考案は、サイドミラーハウジング周囲に設置するカバーが、窓ガラスに対して適切な間隔を保つことにより、上記課題を解決したものである。
【考案の効果】
【０００６】  格納式サイドミラーを格納位置Ｂにすることにより、サイドミラーハウジング１とサイドミラーカバー４で覆われたミラー面２と窓ガラス３に、霜、氷結物、水滴、埃等が付着するのを防止する効果がある。【０００７】  しかもサイドミラーハウジング１周囲に設置するサイドミラーカバー４が、格納位置Ｂの状態で窓ガラス３に対して適切な間隔を保つことにより、寒冷期においてもサイドミラーと窓ガラスが凍結し氷着することなく容易に使用位置Ａに復元することができる。
【考案を実施するための最良の形態】
【０００８】  本考案は、サイドミラーハウジング１の周囲に金属、ゴム、樹脂等のサイドミラーカバー４が取り付けられている。
【実施例】
【０００９】  サイドミラーハウジング１周囲に設置するサイドミラーカバー４が、格納位置Ｂの状態で窓ガラス３に対して２ｍｍから３ｍｍの間隔６を保って設置される。【００１０】  サイドミラーカバー４の材質は例えば金属、ゴム、樹脂等が考えられるが材質は問わず、又サイドミラーハウジング１と同じ材質でも良く、サイドミラーハウジング１が延長されて本考案と同様の機能を有しても良い。
【図面の簡単な説明】
【００１１】
【図１】格納式サイドミラー周辺構造の使用位置外観図である。
【図２】格納式サイドミラー周辺構造の格納位置外観図である。
【図３】格納式サイドミラー周辺構造の格納位置断面図である。
【符号の説明】
【００１２】    １、  サイドミラーハウジング
２、  ミラー面
３、  窓ガラス
４、  サイドミラーカバー
５、  サイドミラー回転軸
６、  サイドミラーカバーと窓ガラスの間隔
【図１】
0003148649.tif 000003
【図２】
0003148649.tif 000004
【図３】
0003148649.tif 000005
(57)【要約】      （修正有）【課題】Ｌ形形状の豆腐用のまな板を滑りにくく持ちやすいようにした豆腐用まな板を提供する。【解決手段】豆腐用まな板１の底面裏側に、一本の指を通すことが出来る環状部２を備えた指掛け３を設けたことを特徴とする。これにより、環状部２及び指掛け３の働きで豆腐用まな板１を保持する手の平及び指先が滑りにくくなり、持ちやすくなる。【選択図】図１
0003148646.tif 000002
【実用新案登録請求の範囲】
【請求項１】
Ｌ形の形状の豆腐用まな板の底面裏側に、一本の指を通すことが出来る環状部を備えた指掛けを設けたことを特徴とする豆腐用まな板。
【考案の詳細な説明】
【技術分野】
【０００１】この考案は、豆腐の切断に用いる、まな板の形状に関する。【０００２】豆腐を切断に用いる豆腐用まな板の形状は、図３、図４に示すように側面と底面からなるＬ形をしています。
実用新案出願２００８−００６１２２
登録実用新案第３１４６３３１号
【考案の開示】
【考案が解決しようとする課題】
【０００３】本考案は、豆腐用まな板はＬ形の形状をしている為、保持する手の平及び指先が滑りやすく持ちにくかった。そこで、この考案は、Ｌ形形状の豆腐用まな板を滑りにくく持ちやすい豆腐用まな板を提供することを課題とする。
【課題を解決するための手段】
【０００４】以上の課題を解決するために、本考案は、Ｌ形形状の豆腐用まな板の底面裏側に一本の指を通すことが出来る環状部を備えた指掛けを設けたことを特徴とする豆腐用まな板である。
【考案の効果】
【０００５】本考案によれば豆腐用まな板１の底面裏側に環状部２を備えた指掛け３を設けたので豆腐用まな板が滑りにくく持ちやすい。
【考案を実施するための最良の形態】
【０００６】この考案の一実施形態を図１に示す。
豆腐用まな板１は合成樹脂、プラスチック製でＬ形の形状であり、この豆腐用まな板１の底面裏側に環状部２を備えた指掛け３が設けられている。
【実施形態の効果】
【０００７】この実施形態によれば環状部２及び、指掛け３の働きで豆腐用まな板１を保持する手の平及び指先が滑りにくく持ちやすい。
【図面の簡単な説明】
【０００８】
【図１】この考案の一実施形態を示す裏側斜視図である。
【図２】この考案の一実施形態を示す正面図である。
【図３】従来技術を示す表面斜視図である。
【図４】従来技術を示す裏面斜視図である。
【符号の説明】
１  豆腐用まな板
２  環状部
３  指掛け
【図１】
0003148646.tif 000003
【図２】
0003148646.tif 000004
【図３】
0003148646.tif 000005
【図４】
0003148646.tif 000006
(57)【要約】      （修正有）【課題】金属やプラスチックなどを加工したものを取り付けたことで軽量化が可能となり、さらに伸縮棒を利用したことによりユニバーサルデザインを考慮した開閉伸縮操作棒において、取り扱いやすさに優れた操作棒を提供する。【解決手段】金属やプラスチックを加工して４のような形状にしたものを伸縮棒２の先端に付けることにより、軽量性と取り扱いやすさに優れた操作棒になった。【選択図】図１
0003148648.tif 000002
【実用新案登録請求の範囲】
【請求項１】
にぎり部１を設けた棒状の主管本体２に内装されて伸縮する操作棒３を設け、この先端に操作金具４を備えたことを特徴とする高窓伸縮開閉操作棒。
【考案の詳細な説明】
【技術分野】
【０００１】  本考案は、窓の開閉、窓の鍵の開閉を行う操作棒に関する。
【背景技術】
【０００２】    高所にある窓を開閉するには椅子や脚立に上がらなければいけない。
【特許文献１】特許公開２００６−２８０２３５
【考案の開示】
【考案が解決しようとする課題】
【０００３】    しかしながら、高所の窓を開閉するために脚立などを持って来る必要があり、手間も掛かり脚立などを使うと危険を伴う事もある。
本考案は、上記のような課題に鑑み、その課題を解決すべく創案されたものであって、その目的とすることは、危険を伴わず安全に高所の窓を開閉できることを提供することにある。
【課題を解決するための手段】
【０００４】    本考案は、伸縮する棒の先端に加工したステンレス棒を付けた事で軽量化を実現し、これにより上記課題を解決するものである。
【考案の効果】
【０００５】本考案に係る開閉伸縮操作棒は、実用性にも優れたものである。【０００６】伸縮が可能なため高所にある窓の開閉を簡単に行える。【０００７】脚立などを置くことが不可能な場所でも高所にある窓の開閉を簡単に行える。【０００８】そして、収納時には細いためほとんど場所をとらない。
【考案を実施するための最良の形態】
【０００９】本考案は、伸縮可能な本体２に、先端部４を取り付けられている。
先端部４には金属やプラスチック等を加工したものを使用している。
伸縮棒３は窓の高さに合わせて高さの調節が可能である。
先端部４は４Ａで窓の開閉を行い、４Ｂで外枠に固定し４Ｃで鍵を開閉する。
【実施例】
【００１０】  本体であるにぎり１が装着された主管２は、１ｍほどである。伸縮棒３は、主管２に内装される仕組みになっている。【００１１】  伸縮する操作棒には、図示するように、加工をほどこしたステンレス棒４が備えつけられている。この先端部４の４Ｂ、４Ｃ部は、鍵状で窓の引っかけ操作を行い、４Ａ部は、環状で窓の開閉を行うようにする。
【図面の簡単な説明】
【００１２】
【図１】開閉伸縮操作棒の全体図（最小時）
【図２】開閉伸縮操作棒の全体図（最大時）
【図３】先端図
【符号の説明】
【００１１】１、にぎり
２、本体
３、伸縮棒
４、先端部
４Ａ、窓開閉部
４Ｂ、固定部
４Ｃ、鍵開閉部
【図１】
0003148648.tif 000003
【図２】
0003148648.tif 000004
【図３】
0003148648.tif 000005
(57)【要約】      （修正有）【課題】脚立を使った高所作業において、身体の安定性を確保することを目的に引出し式の手すりを内蔵した脚立を提供する。【解決手段】脚立の空洞の脚部１の内部に、引き出し式の手すり２を設け、作業時の身体の安定性を確保した。また、天板３上に腰掛けて作業する場合には、手すり２が椅子の背もたれの役割も果たす。手すり２は脚部１の中に収納できるので、従来の脚立と同様の使用もできる。【選択図】図１
0003148643.tif 000002
【実用新案登録請求の範囲】
【請求項１】
脚部に引き出し式の手すりを内蔵した脚立。
【考案の詳細な説明】
【技術分野】
【０００１】本考案は、高所での身体の安定性確保を目的に、引き出し式の手すりを内蔵した脚立である。
【背景技術】
【０００２】従来、脚立を使用した高所作業では身体を保持するものがなく危険であった。また、外付け等の方法で手すりを設置する方法は散見できたが、この方法であると脚立の持ち運び・手すりの設置・収納等に手間を要していた。
【考案の開示】
【考案が解決しようとする課題】
【０００３】脚立を使用した高所作業において身体の安定性を確保するために設置する手すりが脚立本来の機能を損なわないようにしなければならない。本考案は、この課題を解消するためになされたものである。
【課題を解決するための手段】
【０００４】空洞の脚部１の中に引き出し式の手すり２を設置し、手すり２は任意の高さで固定できるようにした。固定の方法は問わない。
【考案の効果】
【０００５】天板３上に立って作業する場合、あるいは天板３近くのステップに上って作業する場合に、てすり２を持って作業することにより安定性が確保できる。また、手すり２を持たずに作業する場合でも、手すり２により安心感が与えられるといった効果も期待できる。また、手すり２は、脚立を椅子として使用したとき（図２）の背もたれの役割も担う。
【図面の簡単な説明】
【０００６】
【図１】考案した、手すり内蔵の脚立の実施例である。
【図２】脚立を椅子として使用した場合の側面図である。
【符号の説明】
【０００７】１  脚部
２  手すり
３  天板
【図１】
0003148643.tif 000003
【図２】
0003148643.tif 000004
(57)【要約】      （修正有）【課題】果物、野菜のデザインに見えるようにしたヘアカーラーを提供する。【解決手段】果物のヘタに見える別の色の素材を貼り付ける。ヘタがつく事によって、ヘアカラーに果物のようなデザインをもたせ、複数の色とデザインを実現している。従来の単色のヘアカーラーと違って、複数の色を実現し、商品の選択の数を増やす事ができる。【選択図】図７
0003148624.tif 000002
【実用新案登録請求の範囲】
【請求項１】
葉、芯、ヘタに見える形状のものを貼り付け、果物、野菜のデザインに見えるようにしたヘアカーラー。
【考案の詳細な説明】
【技術分野】
【０００１】本考案は頭髪を巻いてカールさせるためのヘアカーラーに関するものである。
【背景技術】
【０００２】従来のヘアカーラーは［図１］［図２］［図３］［図４］のように単色のウレタンスポンジで作られている。
【考案の開示】
【考案が解決しようとする課題】
【０００３】従来のヘアカーラー［図１］［図２］［図３］［図４］は、単色の素材でできているので、色の変化に乏しく、デザインの種類も少ない。
【課題を解決するための手段】
【０００４】［図５］［図６］のような色の違うヘタ状のものをくっつける。
【考案の効果】
【０００５】［図７］［図８］［図９］［図１０］が完成形で、ヘタがつく事によって、ヘアカラーに果物のようなデザインとなる。
【実施例】
【０００６】［図７］［図８］［図９］［図１０］が完成形で、ヘタがつく事によって、ヘアカラーに果物のようなデザインをもたせ、複数の色とデザインを実現している。
【産業上の利用可能性】
【０００７】［図１］［図２］［図３］［図４］のように従来の単色のヘアカーラーと違って、複数の色を実現し、商品の選択の数を増やす事ができる。
【図面の簡単な説明】
【０００８】
【図１】従来のカーラーの正面図である。
【図２】従来のカーラーの左側面図である。
【図３】従来のカーラーの背面図である。
【図４】従来のカーラーの右側面図である。
【図５】カーラーにつけるヘタの平面図である。
【図６】カーラーにつけるヘタの側面図である。
【図７】ヘタをつけたカーラーの正面図である。
【図８】ヘタをつけたカーラーの左側面図である。
【図９】ヘタをつけたカーラーの背面図である。
【図１０】ヘタをつけたカーラーの右側面図である。
【図１】
0003148624.tif 000003
【図２】
0003148624.tif 000004
【図３】
0003148624.tif 000005
【図４】
0003148624.tif 000006
【図５】
0003148624.tif 000007
【図６】
0003148624.tif 000008
【図７】
0003148624.tif 000009
【図８】
0003148624.tif 000010
【図９】
0003148624.tif 000011
【図１０】
0003148624.tif 000012
(57)【要約】      （修正有）【課題】観者に新趣向感覚を印象付けることが可能な鯉のぼりセットの吹流しを提供する。【解決手段】鯉のぼりセットの吹流しであって、該吹流しの吹貫きの白地部に、男の子の顔写真表示部を表現すると共に、該顔写真表示部の下記位置にその男の子の名前表示部を表現してなることを特徴とする。前記顔写真表示部の顔写真と前記名前表示部の名前等は、昇華熱転写及びアイロンプリントまたは手描き，シール等の貼着により表現される。【選択図】図２
0003148623.tif 000002
【実用新案登録請求の範囲】
【請求項１】
ナイロン布地および／またはポリエステル布地等によって縫製される鯉のぼりセットの吹流しであって、該吹流しの吹貫きの白地部に、男の子の顔写真表示部を表現すると共に、該顔写真表示部の下部位置に、その男の子の名前表示部を表現してなることを特徴とする鯉のぼりセットの吹流し。
【請求項２】
前記顔写真表示部の顔写真と，前記名前表示部の名前等は、昇華熱転写及び／アイロンプリントまたは手描き，シール等の貼着により表現されることを特徴とする請求項１記載の鯉のぼりセットの吹流し。
【考案の詳細な説明】
【考案の詳細な説明】
【技術分野】
【０００１】  本考案は鯉のぼりセットの吹流しに関するものである。
【背景技術】
【０００２】  男の子の誕生を祝い、健やかな成長を願う意味の端午の節句時に飾られる鯉のぼりセットは吹流しを備えている。【０００３】  図１は、公知の吹流しを例示しており、該吹流し１は、ナイロン布地および／または、ポリエステル布地２等によって縫製され、大略、吹貫き３と該吹貫き３の口部４に縫い付けられる口輪５により構成されているから、看る者に見飽きした印象を与え、且つ、斬新性を欠く。
そのため、端午の節句に鯉のぼりとともに揚げる吹流しに新鮮感覚を醸し出すような工夫が求められる。
【考案の開示】
【考案が解決しようとする課題】
【０００４】  本考案は、上述のような実情に鑑みなされたもので、その目的とするところは、看者に新趣向感覚を印象付けることが可能な鯉のぼりセットの吹流しを提供するにある。
【課題を解決するための手段】
【０００５】  本考案は、ナイロン布地および／または、ポリエステル布地等によって縫製される鯉のぼりセットの吹流しであって、詳しくは、吹流しの吹貫きの白地部に、男の子の顔写真表示部を表現すると共に、該顔写真表示部の下部位置にその男の子の名前表示部を表現してなることを特徴とする（請求項１）。【０００６】  そして、前記顔写真表示部の顔写真と、前記名前表示部の名前等は、昇華熱転写及びアイロンプリント，または、手描き，シール等の貼着により表現されることを特徴とする（請求項２）。
【考案の効果】
【０００７】  本考案は、請求項１および請求項２に記載するような形態で実施され、以下に記載されるような効果を奏する。【０００８】  吹抜きの白地部に男の子の顔写真と名前を表示することにより、吹流しに斬新且つ、新趣向性を齎すことができる。
また、該顔写真と名前を通して、男の子の健やかな成長を願う親類や縁者（鯉のぼりセットを贈る者）の心情が反映され、更に、吹流しの顔写真と名前が鯉のぼりセット飾りの引き立て役の一助を果たし、鯉のぼり飾りは豪華なものとなり、しかも、需要者に格別な仕上り風合いを印象付ける鯉のぼりセットを提供することができると共に、端午の節句を祝って鯉のぼりを飾る習慣の高揚にも役立つという効果につながるものである。【０００９】  尚、本考案に係る吹流しは、屋内外の必要な場所に取付けられる鯉のぼりセットの吹流しとして有用であり、例えば、鯉のぼりセットが年間を通した室内飾りの鯉のぼりの場合は、本考案の吹流しに施されている男の子の記念となる顔写真等が何時でも看取できる。
【考案を実施するための最良の形態】
【００１０】  以下、本考案の実施例説明を、第２図に基き説明する。【００１１】  本考案に係る鯉のぼりセットの吹流し１１は、ナイロン布地および／または、ポリエステル布地等によって縫製され、該吹流し１１は、大略，吹貫き１２と、該吹貫きの白地部１３とを有している。【００１２】  前記白地部１３には、男の子の顔写真表示部１４が設けられ、該顔写真表示部１４の下部位置に、その男の子の名前表示部１５が設けられている。【００１３】  前記、顔写真表示部１４の顔写真１６と、前記名前表示部１５の名前１７等は、昇華熱転写及びアイロンプリントまたは、手描き，シール等の貼着により表現される。【００１４】  吹流しの縫製生地となるナイロン布地，ポリエステル布地及び前記，顔写真表示部の写真と名前表示部の名前は、当然のこと乍ら、耐光性，耐洗性，撥水性等を有している。
【図面の簡単な説明】
【００１５】
【図１】  鯉のぼりセットの吹流し構成図である。
【図２】  本考案の実施形態を示す正面図である。
【符号の説明】
１１  吹流し
１２  吹貫き
１３  白地部
１４  顔写真表示部
１５  名前表示部
１６  顔写真
１７  名前
【図１】
0003148623.tif 000003
【図２】
0003148623.tif 000004
(57)【要約】      （修正有）【課題】バナナ果実を長手方向で穿孔したあとの充填のための、長手方向に果物（バナナ）に穴を開ける装置に関する。【解決手段】該装置はヘッダ部分を備え、該ヘッダ部分上面から円筒部が突出し、このヘッダは、円筒状上部と円筒状／円錐状下部により垂直に穿孔され、そしてこのヘッダの内面から、及び正反対の領域から、平行な夫々のアームが、この穿孔を画定する長手方向の側面に対向する縁部弓形部に、軸形縁部と内部翼を備える管状棒用接続部を伸ばし、これが穿孔部へ取り付けられ、接続部が穿孔部へ取り付けられ、ハンドルを形成するように弓形であり、そして該装置の各アーム部の下端部表面は外向きの弓形で、底部を形成する円筒部にある中央の円筒状止まり空洞と同心の一対の弓形の対向する溝に嵌め込まれ、支持される。【選択図】図１
0003148627.tif 000002
【実用新案登録請求の範囲】
【請求項１】
バナナ果実を長手方向で穿孔したあとの充填のための、バナナ果物の長手方向の穿孔用装置であって、該装置はヘッダ部分を備え、該ヘッダ上面から円筒状部が突出し、該ヘッダは円筒状上部と、円筒状／円錐状下部により垂直に穿孔され、そして該ヘッダの内面から、及び正反対領域から該穿孔を画定する、長手方向側面に対向する縁部弓形部の平行な夫々のアームが、軸形縁部と内部翼を備える管状棒用の接続部を伸ばし、接続部が穿孔部へ取り付けられて、ハンドルを形成するように弓形であり、そして該装置の各アーム部の下端部表面は外向きの弓形で、底部を形成する円筒部にある中央の円筒状止まり空洞と同心の一対の弓形の対向する溝に嵌め込まれ、支持される、ことを特徴とする装置。
【考案の詳細な説明】
【技術分野】
【０００１】
本考案は果実（バナナ）の処理後の充填のための、果物（バナナ）を処理する装置に関する。
【０００２】
本考案の主目的は特定の特徴を備える装置により、前記バナナ内に長手方向に伸びる止まり空洞を形成することである。
【０００３】
別の目的は、バナナを事前に皮むきすることなく、管状棒を導入することにより、前記装置内に前記バナナを設置し、それに穴を開け、次にその内部形状に影響しないように残りのバナナ果肉を除去することである。
【０００４】
更なる目的は前記管状棒を除去し、前記棒の内壁で下端部に隣接する小ノッチと共に、上記開口内の障害物により、残りを許容するコンパクトな方法で隔離し、一旦この操作が完了すると、この止まり空洞内へ食品を注入することである。
【背景技術】
【０００５】
食用部に関し、特にバナナのような果物に関し、消費者はそれを食する前にチョコレート、クリーム、タフィーキャラメル、蜂蜜等の食品とそれを通常、混ぜ、果物の皮をむき、それらを切断したりしなかったり、そして／またはそれを粉砕し、刃物類や皿または類似物を使用する段階が必要である。
【０００６】
バナナを食べる別の方法は、それの皮むき後、チョコレートでそれを覆う。それらは様々な香料を食品に添加するが、アイスクリームをチョコレートで覆うために使用されるものと類似の、ある特別な装置または道具が使用されるので、この場合は、あまり頻繁でない。
【考案の開示】
【０００７】
バナナ内に長手方向へ伸びる空洞を形成する装置を得るため、バナナを装置内へ手で設置し、指で押すことにより、それを真っ直ぐにする場合に加えられる圧力に応じて、広げそして調節することができる柔軟な管状のある湾曲を採用する、裏側は２．５ｃｍで、表側は４ｃｍ離れた２つの同一平行アームを備える。
【０００８】
アームの支持ヘッドを形成するこの装置の上部は、上記アームが弓形で、これによりそれを損傷することなく果物を滑らせることが可能となり、一旦真っ直ぐになると果物内へ導入される管状棒は、その下部に一旦導入されたフックまたは小旗状のカットを画定し、それは果物の円筒状内部果肉を回転し、そして挿入し、そして空気を排出する必要なく、それを全て除去するので、バナナの底端部を安全かつ速やかに中央へ設定できる内部に円筒状／円錐状の環状リブ付き空洞を提示する。
【考案を実施するための最良の形態】
【０００９】
図面の図により表現されるものによると、この考案は、内部に三角形タグ７を有し、その上端部は八角形断面で、垂直に穿孔された弓形部８を有する、その環状壁内で下端部に隣接して、弓形水平Ｖを有する管状棒６を、バナナの導入と位置決め圧力を介して、この穿孔３内に自由に動くように設置されることを容易にするため、ヘッダ１を通過し、そして外側に開いたその下端部５ａが、長手方向縁部が弓形部５ｂである前記アーム５を提示する、弓形断面の上記ヘッダ１の夫々のアーム５の下底部から突出する、環状リブ付き円筒状／円錐状空洞４へ結合する、垂直円筒状穿孔３を備える円筒位置２に集中する傾斜環状表面を、その上部に有する、不規則な円筒状断面のヘッダ１を備え、弓形端部５ａの挿入を可能にし、バナナＡから除去されるべき食品の除去のため、軸形縁部と端部キャップ１０ａを備える棒１０を有する管状棒６の下端部の挿入を可能にする、円筒状空洞９ｂと関連して同心で表示される各弓形溝９ａを直径面に応じて、その内面に提示する底部９が補完される、バナナ果物Ａの長手方向穴開け装置を提供する。
【００１０】
図４から６で、本考案の装置目的が、バナナＡの残りＡ’を棒６で除去する３つの動作段階で図示される。
【図面の簡単な説明】
【００１１】
【図１】管状棒下部の断面を図示する前記装置の前面図である。
【図２】長手方向支持の一部に適用される装置の側面図である。
【図３】装置の後面図である。
【図４】前記バナナの穴開けの２つの動作位置での夫々の部分断面図である。
【図５】前記バナナの穴開けの２つの動作位置での夫々の部分断面図である。
【図６】この管状棒内部に位置する残りの果肉の除去用環状上部開口障害物を図示する部分断面図である。
【図７】続く使用のためのこの残りの果肉の除去を可能にするために、ある部分が付加されるこの棒の部分断面図である。
【図８】この装置の上部斜視図である。
【符号の説明】
【００１２】
1：ヘッダ
2：円筒状位置
3：円筒状穿孔
4：円筒状／円錐状空洞
5：アーム
5ａ：下端部
5ｂ：弓形部
6：管状部
7：三角形タグ
8：弓形部
9：底部
9ａ：弓形溝
9ｂ：円筒状空洞
10：棒
10ａ：端部キャップ
【図１】
0003148627.tif 000003
【図２】
0003148627.tif 000004
【図３】
0003148627.tif 000005
【図４】
0003148627.tif 000006
【図５】
0003148627.tif 000007
【図６】
0003148627.tif 000008
【図７】
0003148627.tif 000009
【図８】
0003148627.tif 000010
(57)【要約】【課題】  多種類の錠剤やカプセルを毎日朝・昼・夕等の時間帯に分けて服用する必要がある人が薬を分配整理して容易に服用できるようにし、服用忘れを防止する。【解決手段】  壁掛けを主とするボード上に、着脱が容易で、しかも容易に脱落することがない透明な小容器を朝・昼・夕に分けて１週間分を配置する。小容器の取付け法はＬ字形に曲げた薄板の片面をボード上に貼り、張り出た舌状突起に毛状の面を持つ可撓体、具体的には粘着面付きの面ファスナーの柔らかい側を切り取り、舌状突起を包むように貼り付ける。小容器側は小容器と一体的な背板の上方に舌状突起と勘合する穴を開けて、この穴と舌状突起とで小容器の着脱を行う。ボード上には各曜日と朝・昼・夕を表示し、透明な小容器には朝・昼・夕の別を表示する。この小容器に１週間分の服用薬を配分して入れておき、順次に取り出して服用する。【選択図】図１
0003148622.tif 000002
【実用新案登録請求の範囲】
【請求項１】
壁へ取り付け可能なボード上を、曜日と各曜日の服用時間帯に区分し、透明で着脱可能な小容器に各時間帯毎に服用する必要のある服用薬を配分して、飲み忘れを防止する用具において、小容器の着脱方法としてボードより舌状の突起を出し、この突起に毛状の面を持つ可撓体を包むように貼り付けて、小容器側にはこれと勘合する穴を開けた構造を持つもの。
【考案の詳細な説明】
【技術分野】
【０００１】  本考案は毎日の時間帯毎に薬を服用する必要のある人が、服用忘れ等を防止するために数日間分の服用薬を配分する服用管理ボードに関するものである。
【背景技術】
【０００２】  多種類の錠剤やカプセルを朝・昼・夕等の時間帯に別けて服用する必要がある人のために、背景技術として下記のような公報文献がある。
【公報文献１】
登録実用新案第３０２４１８０号公報
【公報文献２】
登録実用新案第３０３５８０９号公報
公報文献１では分配用に収容袋を使用しており、ボード側と収容袋裏側の対応部に着脱自在テープを貼り、着脱を可能にしている。
公報文献２では折り曲げ可能なファイルの面に分配袋を多数配列し、分配袋の着脱にはやはり面ファスナーを使用している。しかし着脱自在テープや面ファスナーによる取り付けは外れ易く、また再取り付け時に位置がずれやすい。
【考案の開示】
【考案が解決しようとする課題】
【０００３】  医者より処方されて袋に入った多種類の錠剤やカプセルを毎日朝・昼・夕等の時間帯に分けて服用する必要がある人にとり、服用忘れを防止し、薬を整理しておくためにも使い易い場所に薬を分配して管理できるものが必要である。
【課題を解決するための手段】
【０００４】  この課題を解決するため本考案では壁掛けを主とするボード上に、着脱が容易でしかも容易に脱落することのない透明な小容器を、朝・昼・夕に分けて、１週間分を配置する。小容器の取付け法は、Ｌ字形に曲げた薄板の片面をボード上に貼り、張り出た舌状突起に毛状の面を持つ可撓体、具体的には粘着面付きの面ファスナーの柔らかい側を切り取り、舌状突起を包むように貼り付ける。小容器側は小容器と一体の、または小容器を接着した背板の上方に舌状の突起と勘合する穴を開けた構造を持つ。この穴と舌状突起とで小容器の着脱を行う。ボード上には曜日と朝・昼・夕を表示し、透明な小容器には朝・昼・夕の別を表示する。この小容器に１週間分の服用薬を配分して入れておき、順次に取り出して服用する。
【考案の効果】
【０００５】  本考案により、小容器の着脱が容易でありながら、ボードの揺れや衝撃でも毛状の面を持つ舌状突起のために小容器が容易に脱落することはない。また舌状突起のために小容器の着脱で小容器の位置がずれることがないため、小容器を密に配置できる。小容器は透明なために服用したかどうかは容易に判別でき、服用忘れを防止できる。なお、服用計画上不要な小容器がある場合は、取り外しておくことも可能である。
【考案を実施するための最良の形態】
【０００６】  図１は本考案の薬の服用予定ボードを正面から見た正面図で、図において１はボード、２は着脱可能で透明な小容器である。ボードの壁への取り付けは、木ネジによる方法や紐により吊り下げる方法、両面テープや面ファスナーによる接着、磁石等が考えられるが、本図では最も確実な、木ネジ３による方法が図示してある。ボードの上方には各曜日４が表示してあり、側方には朝・昼・夕の区分５が表示してある。また小容器の表面にも朝・昼・夕の別６が表示してある。【０００７】  図２は本考案の薬の服用予定ボードを側面から見た側面図で、図において７が舌状突起である。舌状突起はＬ字形に曲げた薄板の片面をボード上に貼り、張り出た側を舌状突起としたもので、舌状突起には薄毛状の面を持つ可撓体８、具体的には面ファスナーの一部が突起部を包むように貼り付けてある。【０００８】  図３は小容器と舌状突起を拡大した斜視図である。小容器側には背板９があり、背板の上方に開いた穴１０と舌状突起７が勘合する。
【図面の簡単な説明】
【０００９】
【図１】本考案の薬の予定ボードを正面から見た正面図
【図２】本考案の薬の予定ボードを側面から見た側面図
【図３】小容器と舌状突起を拡大した斜視図
【符号の説明】
【００１０】  １    ボード
２    小容器
３    木ネジ
４    各曜日
５    朝・昼・夕の区分
６    朝・昼・夕の別
７    舌状突起
８    薄毛状の面を持つ可撓体
９    背板
１０    穴
【図１】
0003148622.tif 000003
【図２】
0003148622.tif 000004
【図３】
0003148622.tif 000005
【手続補正書】
【提出日】平成20年11月26日(2008.11.26)
【手続補正１】
【補正対象書類名】実用新案登録請求の範囲
【補正対象項目名】請求項１
【補正方法】変更
【補正の内容】
【請求項１】
壁へ取り付け可能なボード上を、曜日と各曜日の服用時間帯に区分し、透明で着脱可能な小容器に各時間帯毎に服用する必要のある服用薬を配分して、飲み忘れを防止する用具において、小容器の着脱方法としてボードより舌状の突起を出し、この突起に毛状の面を持つ可撓体を包むように貼り付けて、小容器側にはこれと勘合する穴を開けた構造を持つ薬の服用予定ボード。
(57)【要約】      （修正有）【課題】ポケットの中に副子の入ったマジックテープ等で中手指節関節より指節関節を固定する固定具である。【解決手段】短いマジックテープ（登録商標）（３）２本と長いマジックテープ（４）２本の中央に副子（２）を入れるポケット（１）を取りつけ４本のマジックテープとつなぐ。短いマジックテープ（３）は手指、長いマジックテープは手掌、手背につけ、副子（２）は金属、プラスチック等の固定力のあるものとする。【選択図】図１
0003148611.tif 000002
【実用新案登録請求の範囲】
【請求項１】
ポケットの中に副子の入ったマジックテープで中手指節関節より指節関節を固定する固定具である。
【考案の詳細な説明】
【考案の詳細な説明】
この考案はポケット（１）の中に副子（２）を入れたマジックテープ等で中手指節関節より指節関節を固定する固定具である。
従来指節関節のみのマジックテープ固定具又は、副子をテープ又は包帯で固定する中手指節関節の固定でありつけはずしが不便であった。
本案は、その欠点を除いて中手指節関節より指節関節までを一体化して固定できるマジックテープ式の固定具でありつけはずしか容易である。
（イ）短いマジックテープ（３）２本と長いマジックテープ（４）２本の中央に副子（２）を入れるポケット（１）を取りつけマジックテープ４本とつなぐ。
（ロ）副子（２）は金属又はプラスチック、木等の素材で固定力があればよい。
（ハ）短いマジックテープ（３）を手指、長いマジックテープ（４）を手掌、手背につけることにより中手指節関節と指関節が動かず固定でき骨折から捻挫まで全ての手の指に使用できる。
（ニ）マジックテープ（３）と（４）は伸縮性をもたせた方がよく接着部（５）によりワンタッチで取りつけられる。接着部（５）は左右どちらにつけてもよい
【図面の簡単な説明】
【図１】本考案の正面図
【符号の説明】
（１）はポケット  （２）は副子  （３）は短いマジックテープ  （４）は長いマジックテープ  （５）は接着部
【図１】
0003148611.tif 000003
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
ポケットの中に副子の入ったマジックテープ（登録商標）で中手指節関節より指節関節を固定する中手指節関節マジックテープ（登録商標）固定具である。
【手続補正２】
【補正対象書類名】明細書
【補正対象項目名】全文
【補正方法】変更
【補正の内容】
【考案の詳細な説明】
【考案の詳細な説明】
この考案はポケット（１）の中に副子（２）を入れたマジックテープ（登録商標）等で中手指節関節より指節関節を固定する固定具である。
従来指節関節のみのマジックテープ（登録商標）固定具又は、副子をテープ又は包帯で固定する中手指節関節の固定でありつけはずしが不便であった。
本案は、その欠点を除いて中手指節関節より指節関節までを一体化して固定できるマジックテープ（登録商標）式の固定具でありつけはずしが容易である。
（イ）短いマジックテープ（登録商標）（３）２本と長いマジックテープ（登録商標）（４）２本の中央に副子（２）を入れるポケット（１）を取りつけマジックテープ（登録商標）４本とつなぐ。
（ロ）副子（２）は金属又はプラスチック、木等の素材で固定力があればよい。
（ハ）短いマジックテープ（登録商標）（３）を手指、長いマジックテープ（登録商標）（４）を手掌、手背につけることにより中手指節関節と指関節が動かず固定でき骨折から捻挫まで全ての手の指に使用できる。
（ニ）マジックテープ（登録商標）（３）と（４）は伸縮性をもたせた方がよく接着部（５）によりワンタッチで取りつけられる。接着部（５）は左右どちらにつけてもよい。
【図面の簡単な説明】
【図１】本考案の正面図
【符号の説明】
（１）はポケット
（２）は副子
（３）は短いマジックテープ（登録商標）
（４）は長いマジックテープ（登録商標）
【手続補正３】
【補正対象書類名】図面
【補正対象項目名】全図
【補正方法】変更
【補正の内容】
【図１】
0003148611.tif 000004
(57)【要約】      （修正有）【課題】サッカー競技中の怪我などを防止するための、サッカー競技用の帽子を提供する。【解決手段】帽子内部に通気性のある緩衝材、帽子本体に通気孔、後部にアジャスターを取り付けることにより、簡単に着用することができ、ずれることのない帽子にした。これにより転倒、衝突などによる怪我を減らし、熱中症などを防止することができる。【選択図】図１
0003148616.tif 000002
【実用新案登録請求の範囲】
【請求項１】
帽子内部に通気性のある緩衝材を取り付け、帽子本体に通気孔を設け、伸縮性のアジャスターを帽子後部に取り付けたサッカー競技用の帽子。
【考案の詳細な説明】
【技術分野】
【０００１】  この考案は、サッカー競技中の怪我などを防止するための帽子に関するものである。
【背景技術】
【０００２】  サッカー競技用に簡易に着用でき安全性が確保できるよう、図１に示すように、考案したものである。
【考案の開示】
【考案が解決しようとする課題】
【０００３】今までサッカー競技で酷暑、極寒の中にもかかわらず帽子を着用せず、熱中症などで体を壊す人が多かった。また、サッカー競技中転倒、衝突などの事故により頭部打撲によるケガも多く発生している。そこで、この帽子を提供することを課題とする。
【課題を解決するための手段】
【０００４】  以上の課題を解決するために、帽子内部に通気性のある緩衝材を縫い付ける。また、通気性を良くするために帽子本体に通気孔を設ける。
【考案の効果】
【０００５】  この考案により転倒、衝突などによる怪我、熱中症などを減らせる。
【考案を実施するための最良の形態】
【０００６】  この形態を、図１に示す。
緩衝材１を内部に縫い付ける。通気孔２を設ける。アジャスター３を取り付ける。
【図面の簡単な説明】
【０００７】
【図１】この考案の形態を示す斜視図である。
【符号の説明】
【０００８】  １  通気性のある緩衝材      ２  通気孔      ３  伸縮性のアジャスター
【図１】
0003148616.tif 000003
(57)【要約】      （修正有）【課題】出し入れ及び携帯がしやすい収納袋付きハンカチを提供する。【解決手段】ハンカチに巾着状の袋を付け、その袋の中にハンカチを入れ、カバンやバッグ、腰、あるいは携帯電話のストラップがわりにぶら下げたりして持ち歩く。袋に入れるから、折り畳む必要もなく、出す時は巾着の口を少し開きハンカチの端を引っ張りながら出す。洗う時はハンカチを袋から出し袋ごとハンカチを洗うことができる。【選択図】図１
0003148613.tif 000002
【実用新案登録請求の範囲】
【請求項１】
ハンカチを中に入れる袋の内側にハンカチの一部を取り付けたことを特徴とするハンカチ。
【請求項２】
前記の袋はカバンなど他のものにぶら下げて携帯しやすいようにひもなどがついた巾着状にすることを特徴とする請求項１記載のハンカチ。
【考案の詳細な説明】
【考案の分野】
【０００１】  この考案は、出し入れ及び携帯しやすいハンカチの形状に関するものである。
【背景技術】
【０００２】  従来のハンカチは布から出来た一枚の四角い布である。
【考案の開示】
【発明が解決しょうとする課題】
【０００３】  しかしながら、従来のハンカチでは、きれいに畳んで、カバンやバッグかポケットの奥にしまいこんで、使う時に、すぐには出せないことが多い。
そこで、この考案は、使用する時にはすぐに出せ、しまう時にも早く仕舞え、持ち歩きにも便利なハンカチを提供することを課題とする。
【課題を解決するための手段】
【０００４】  以上の課題を解決するために、第一考案は、ハンカチの一部をハンカチを仕舞える小さな袋の中に付けたこと。
また、第二考案は、その袋が、巾着状になっていて、カバンやバッグ、腰のあたりや携帯電話のストラップ代わりにぶら下げて持ち歩けることを特徴とするハンカチである。
【考案の効果】
【０００５】  第一考案、第二考案によれば、ハンカチを仕舞うにも畳む必要もなく、ハンカチの出し入れが、巾着の紐を緩め、口を広げることで容易なり、携帯する時は紐を締め口ちを閉じぶら下げて携帯できるから持ち歩くのに便利である。
【考案を実施するための最良の形態】
【０００６】  この考案の一実施形態を、図１にしめす。ハンカチ本体１は布製であり、袋２も布製あるいは洗濯できる素材である。この本体１の一部が、袋２の内側に一体的に取り付けられている。
【実施例】
【０００７】  この実施形態によれば、ハンカチが汚れ、洗濯をする時は、ハンカチを巾着袋から出すだけで、袋ごとハンカチを洗濯することが出来る。【０００８】  携帯する時はハンカチを袋の中に入れる。【０００９】  図１の実施形態では、ぶら下げるためについているのは巾着袋の紐だけだが、ぶら下げる相手によっては、紐の先にはさむ器具を付けてもよい。
【図面の簡単な説明】
【００１０】
【図１】この考案の一実施形態を示す斜視図である。
【図２】ハンカチを袋の中に納めた時の図である。
【符号の説明】
【００１１】      １  ハンカチ
２  袋
３  紐
【図１】
0003148613.tif 000003
【図２】
0003148613.tif 000004
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
ハンカチを中に入れる袋の内側にハンカチの一部を取り付けたことを特徴とする収納袋付きハンカチ。
【請求項２】
前記の袋はカバンなど他のものにぶら下げて携帯しやすいようにひもなどがついた巾着状にすることを特徴とする請求項１記載の収納袋付きハンカチ。
(57)【要約】      （修正有）【課題】犬の糞を手軽に処理できる道具を提供する。【解決手段】この処理器は糞に剣山のような枠をハメ込んでそして拾い上げるようにしビニール袋に納めてしまうということで簡単な手作業によって犬の糞公害を解決できるものである。プラスチックで成形した円筒形の枠１にサイの目のように中に格子状にめぐらしその交差したところから下向きに突起状２が出るように成形したものつまり剣山のようにし、そして円筒形の輪の外側に粘着テープ４をつけてそれにビニール袋をつけて糞に対して上から押さえ込むようにおおいかぶせるように拾い上げ、最後はビニール袋に収納して園芸用で使われている針金でくくり封をする。【選択図】図１
0003148615.tif 000002
【実用新案登録請求の範囲】
【請求項１】
プラスチック整形で円筒形の枠▲１▼にサイの目のように格子状に▲１▼貼りめぐらしその交差したところからしたむきに突起状の▲２▼ものを出るように成形したものつまり剣山のようにしてそれに円筒形の枠の外側に粘着テープ▲４▼つけて、それにビニール袋をセットして犬のフンなどをおおいかぶせるようにしてうえからおしつけて拾いあげるようにして最後にビニール袋に収納して園芸などで使う針金で▲５▼くくりつけて封をし袋さら処理してしまうという犬のフン処理器である
【考案の詳細な説明】
【技術分野】
【０００１】  本考案は、犬の糞を手軽に処理できる道具に関する。
【背景技術】
【０００２】  従来は犬の糞の処理に手をやいていた。
【考案の開示】
【考案が解決しようとする課題】
【０００３】  しかし、ちょっとした部品の組み合わせによって手軽に犬の糞を処理できるようにした。
【課題を解決するための手段】
【０００４】  袋をつけた円筒形の枠の巾がサイの目になるように格子状にプラスチック性のものを設置し糞の上から押しハメ込んでそしてそれにセットしてあるビニール袋におさめてしまうというもの
【考案の効果】
【０００５】  よって糞が手軽に処理できる。
よく、使われると思います、糞公害に対処できると考えます。
【考案を実施するための最良の形態】
【０００６】  プラスチックで成形した円筒形の枠▲１▼にサイの目のように中に格子状にめぐらしその交差したところから下向きに突起状▲２▼のものを出るように成形したものつまり剣山のようにしてそして円筒形の輪の外側に粘着テープ▲４▼をつけてそれにビニール袋▲６▼をつけてそしてから糞に対して上から押さえ込むようにおおいかぶせるように拾い上げるようにして最後はビニール袋に収納してそして園芸用で使われている針金▲５▼でしばりくくり封をする。一回でなく、２−３回白い同じ処理器を使用できると考えます材質は使い捨てるので粗雑なプラスチックでよいそれから犬の糞は感じが悪いし、臭いも多少あるのでそれに対処するため、円筒形の枠の取っての所の側面に凹状のくぼみをつくり、その中に香料▲３▼を入れる
使用するとき、その上っ面のテープをはがして香料の臭いが発生するようにする
【図面の簡単な説明】
【０００７】
【図１】  本考案の正面図
【図２】  本考案の断面図
【符号の説明】
【０００８】  ▲１▼
｝円筒形の中が剣山のようにした枠
▲２▼
▲３▼香料入れ
▲４▼両面テープ
▲５▼針金（園芸用に使われるしゃれた）
▲６▼ビニール袋
【図１】
0003148615.tif 000003
【図２】
0003148615.tif 000004
【手続補正書】
【提出日】平成20年11月10日(2008.11.10)
【手続補正１】
【補正対象書類名】実用新案登録請求の範囲
【補正対象項目名】全文
【補正方法】変更
【補正の内容】
【実用新案登録請求の範囲】
【請求項１】
「プラスチック整形された円筒形の枠１に、サイの目のように格子を貼りめぐらし、その交差したところから下向きに突起状のもの２を出るように成形して剣山のようにし、その円筒形の枠の外側に粘着テープ４を付けて構成されており、それにビニール袋をセットして犬のフンなどをおおいかぶせるようにして上から押し付けて拾いあげるようにして最後にビニール袋に収納して園芸などで使う針金５で封をして処理することができる、犬のフン処理器。」
(57)【要約】【課題】  自動半田付装置で半田付けする際に半田の噴上げの圧力によって電子部品が浮き上がり、電子部品が浮き上がったままの半田付けや倒れてしまう不備によりが正常な半田付けが行なわれない不都合の解消等。【解決手段】  電子回路基板受け板４に取り付けた電子回路基板と専用受け板を覆う形の板５と市販ナット２に通った市販ビス１の先端に、内部に市販押しバネ８と押しバネ受け９を備え、押しバネ受け固定用市販イモネジ１０で固定した電子部品６と当接するコップ形部品７と、を備えた電子部品保持具２０により、この課題を解決する。【選択図】図１
0003148612.tif 000002
【実用新案登録請求の範囲】
【請求項１】
電子回路基板作成時に半田付け前の電子部品を固定する際、固定したい電子部品の頭上に配した電子回路基板を受ける板を覆う形状の板と、その板に通したビス先端に押しバネと押しバネ受けを備えたコップ形の部品とを備えた電子部品保持具
【考案の詳細な説明】
【技術分野】
【０００１】  本考案は、電子回路基板を専用受け板で保持し、ディップ装置と呼ばれる自動半田付装置を用いて電子部品の半田付け作業に使用する電子部品保持具に関する。
【背景技術】
【０００２】  従来では、電子回路基板に電子部品を取り付けて半田付けする際に、あらかじめ電子回路基板に開けた穴に電子部品の接点を差し込み、電子回路基板を専用受け板に乗せ、電子部品が電子回路基板から外れないよう電子部品の上からテーピングやおもりを乗せるなどして固定し半田付けしていた。
【考案の開示】
【考案が解決しようとする課題】
【０００３】  しかし、これでは、自動半田付装置で半田付けする際に半田の噴上げの圧力で電子部品が浮き上がり、電子部品が倒れてしまう不備や電子部品が浮き上がったままの半田付けにより正常な半田付けが行なわれない場合があるため不便である。
【課題を解決するための手段】
【０００４】  そこで、半田付け前の電子部品を固定する際、固定したい電子部品の頭上に配した電子回路基板を受ける板を覆う形状の板と、その板に通したビス先端に押しバネと押しバネ受けを備えたコップ形の部品とを備えた電子部品保持具を考案した（図１）この電子部品保持具により、半田噴流の圧力での電子部品の浮き上がりを防止している。
【考案の効果】
【０００５】  よって、本考案の電子部品保持具により、一定かつ適度な圧力で電子部品を押え付けることで下部からの半田噴流圧力に依る電子部品の浮き上がなくなる。また、電子部品の大きさに合わせ、高さを簡易に変えることができる。
【考案を実施するための最良の形態】
【０００６】  本考案に係る電子部品保持具２０は、図１に示すように、メネジを切り、その穴に市販ビス１と市販ナット２を通した電子回路基板３と専用受け板４を覆う形状の板５を備えている。そして、その板に通したビスの先端に電子部品６に当接して固定するための、コップ形部品７の側壁に楕円型の長穴を開けた状態に市販押しバネ８と市販押しバネ受け９を備え、それらが部品内から出ないよう部品に設けられた楕円型の長穴から内部の押しバネ受けを市販のイモネジ１０で固定し、止め輪１１をはめ込む。電子回路基板と専用受け板を覆う板１の形状は、専用受け板３の形に応じて決めればよい。
【図面の簡単な説明】
【０００７】
【図１】  本考案の係る電子部品保持具を電子回路基板の受け板で使用した状態の断面図である。
【図２】  従来の電子部品保持具の断面図である。
【符号の説明】
【０００８】      １      市販ビス
２      市販ナット
３      電子回路基板
４      電子回路基板受け板
５      電子回路基板と専用受け板を覆う板
６      電子部品
７      コップ形部品
８      市販押しバネ
９      市販押しバネ受け
１０      市販イモネジ
１１      止め輪
１２      テーピング
１３      おもり
２０      電子部品保持具
Ｈ      自動半田付装置の半田噴流
【図１】
0003148612.tif 000003
【図２】
0003148612.tif 000004
【手続補正書】
【提出日】平成20年11月13日(2008.11.13)
【手続補正１】
【補正対象書類名】実用新案登録請求の範囲
【補正対象項目名】請求項１
【補正方法】変更
【補正の内容】
【請求項１】
自動半田付装置を用いて電子回路基板作成の際に半田付け前の電子部品を固定するための電子部品保持具であって、固定したい電子部品の頭上に配されて電子回路基板を受ける耐熱樹脂製基板搬送用の板を同じ材質で覆う形状の板と、その板に通したビス先端に押しバネと押しバネ受けを備えたコップ形の部品とを備えた電子部品保持具。